(57)【要約】【課題】水性塗料を用いて自動車の車体の一部に補修用の塗装を施すのに好適な塗装ブースを提供する。【解決手段】塗装室の正面・両側面に搬入用扉が内壁面全域の大きさに設けられると共に、コーナー部を斜めに仕切るコーナーパネルが設けられ、車体の一部に水性塗料を吹き付けた箇所に直接、乾燥用エアを吹き付ける乾燥用エアホースが、前記コーナーパネルと壁面部とで仕切られた空間部内に収納して設けられ、前記コーナーパネルには、前記乾燥用エアホースの収納・取出を可能とする開閉自在な収納・取出用大扉が設けられ、前記収納・取出用大扉には、前記収納・取出用大扉を開扉して、前記乾燥用エアホースを前記塗装室内に引き出した際、該乾燥用エアホースが挿通可能で、該収納・取出用大扉の閉扉が可能となるように、開閉自在なホース挿通用小扉が設けられる。【選択図】図１
0003144732.tif 000002
【実用新案登録請求の範囲】
【請求項１】
塗装室に収容された自動車の車体の一部に補修用の塗装を施す塗装ブースであって、
前記塗装室は、平面形状が矩形状であり、正面および両側面の壁面部に自動車の搬入・搬出が可能な扉もしくはシャッターが該壁面部のコーナー部を除く内壁面全域の大きさに設けられると共に、正面寄りの２箇所のコーナー部および背面寄りの少なくとも１箇所のコーナー部には該コーナー部を斜めに仕切るコーナーパネルが設けられ、且つ、清浄化された正圧エアの供給口が天井部全域に、排出口が床部にそれぞれ設けられ、
前記自動車の車体の一部に水性塗料を吹き付けた後に、該吹き付け箇所に直接、乾燥用エアを吹き付ける乾燥用エアホースが、フレキシブル状に形成され、前記コーナー部のそれぞれにおいて前記コーナーパネルと前記塗装室の壁面部とで仕切られた空間部内に上下方向に屈曲された状態で収納可能に設けられ、
前記コーナーパネルには、前記乾燥用エアホースの収納・取出を可能とする開閉自在な収納・取出用大扉が設けられ、
前記収納・取出用大扉には、前記収納・取出用大扉を開扉して、前記乾燥用エアホースを前記塗装室内に引き出した際、該乾燥用エアホースが挿通可能で、該収納・取出用大扉の閉扉が可能となるように、開閉自在なホース挿通用小扉が設けられ、
前記乾燥用エアホースは、一端が、前記壁面部もしくは前記天井部を貫通して前記塗装室内に露出しないように前記空間部に引き込まれる前記乾燥用エアを供給するエア供給管に接続され、中間部が、閉扉された前記収納・取出用大扉において開扉されたホース挿通用小扉を挿通し、他端が、前記塗装室内に必要な長さ分だけ引き出された状態で、乾燥用エアの供給が可能であること
を特徴とする塗装ブース。
【請求項２】
前記塗装室内に供給される前記正圧エアの温度・風速を調整する第１の調整器と、
前記乾燥用エアの温度・湿度・風速を調整する第２の調整器とを備え、
前記塗装室内の空気の温度・風速と、前記乾燥用エアの温度・湿度・風速とを、それぞれ別個に設定することが可能であること
を特徴とする請求項１記載の塗装ブース。
【請求項３】
前記それぞれの乾燥用エアホースにおける前記乾燥用エアの供給・停止を行うスイッチが前記コーナーパネルもしくはその近傍に設けられて、
前記正圧エアを連続して供給している状態で、前記乾燥用エアの供給・停止が任意に行えること
を特徴とする請求項１または請求項２記載の塗装ブース。
【請求項４】
前記ホース挿通用小扉は、前記乾燥用エアホースが挿通可能な程度に、該乾燥用エアホースの直径に対して略同一か若干大きな長さの底辺を有する矩形状もしくは下部が矩形状で上部が半円形状との組合せ形状に形成されること
を特徴とする請求項１〜３のいずれか一項記載の塗装ブース。
【考案の詳細な説明】
【技術分野】
【０００１】
本考案は、塗装ブースに関し、さらに詳細には、水性塗料を用いて自動車の車体の一部に補修用の塗装を施す塗装ブースに関する。
【背景技術】
【０００２】
自動車の補修時において、車体に塗装を行うための塗装ブースとして、多様な技術が提案されているが、従来の塗装ブースでは、車体の塗装に用いられる塗料は油性塗料が主流であった。
しかし、油性塗料は溶剤中に含まれるＶＯＣ（Ｖｏｌａｔｉｌｅ  Ｏｒｇａｎｉｃ  Ｃｏｍｐｏｕｎｄ：揮発性有機化合物）が空気中に分散してしまうことが課題となっていた。すなわち、当該ＶＯＣは、ＮＯｘと共に光化学大気汚染をもたらす主要な原因物質であり、また、発ガン性等人体に有害な影響を及ぼすものも多いため、近年、ＶＯＣ対策が重要となっている。
【０００３】
そのような背景から、油性塗料に代えて溶剤に揮発性有機化合物を含まない水性塗料の採用が拡大しつつある。しかし、その結果として、水性塗料は油性塗料と比べて溶剤の揮発性が劣るため、塗装後の乾燥方法が課題となっている。
【０００４】
ここで、水性塗料を用いる塗装ブースに関する従来技術の例として、特許文献１で提案されている塗装ブースがある（特許文献１  図３参照）。
しかし、この塗装ブースは、四隅に断面三角形のダクトを設け、そのダクトに設けた円筒状チューブから、乾燥用エアを吹き出すようにした構成であるため、車体の塗装箇所に対して、近傍から直接、乾燥用エアを吹き付けることができない。その結果、非常に乾燥効率が悪い、すなわち乾燥に長時間かかってしまう点が課題となる。これを解決するためには、乾燥用エアの温度を上げる方法が考えられるが、乾燥用エアを高温にしてしまうと、コーナー部から乾燥用エアを吹き出す構成であるが故に、塗装ブース内全体が高温となってしまい、作業者が中に入って他の作業（例えば塗装作業）を同時に行うことが出来ない環境となってしまうため、乾燥専用モードで運転せざるを得ず、作業効率が大幅に低下してしまうと共に、高温にすることでエネルギー効率も非常に悪くなる。また別の解決手段として、乾燥用エアの風速を上げる方法が考えられるが、コーナー部から乾燥用エアを吹き出す構成であるが故に、塗装ブース内全体の気流が大きく乱されてしまい、作業者が塗装作業を同時に行うことが不可能となる、もしくは可能であっても塗装品質の低下が避けられない。
また、車体の塗装品質は、塗装ブース内の気流に大きく影響され、また気流の乱れは塗装ブース内にホコリ溜りを形成し、それが塗装に付着する等によって、さらに塗装品質の悪化が加速する。特許文献１の塗装ブースでは、乾燥用エアの吹き出しによる塗装ブース内の気流の乱れ、あるいはホコリ溜りの発生に関して考慮されておらず、特に、乾燥用エアの吹き出しを行っている時には、コーナー部の扉を開けておかなければならないため、その扉の内部あるいは、扉と内壁との間にホコリ溜りが発生してしまう（特許文献１  図４参照）。
【０００５】
一方、水性塗料を用いる塗装ブースに関する従来技術の他の例として、特許文献２で提案されている塗装ブースがある（特許文献２  図１参照）。
この塗装ブースは、ドアパネル等の一部に乾燥用エアを噴出するための空気出口を伸張腕に設けた構成を備えている。しかし、空気出口に至るまで乾燥用エアを導く構成に関しては具体的な開示がない。
また、この塗装ブースでは、内部の内壁面よび天井部に空気通路、供給パイプ、空気供給用移動体等が露出して設けられており（特許文献２  図１参照）、それらの構成に起因する気流の乱れ、あるいは、特に、それらの管状部材の上面あるいは管状部材同士の隙間等に発生するホコリ溜りに関して何ら考慮されておらず、それらのホコリ溜りのホコリが塗装に付着することによって塗装品質が悪化することが課題となる。
なお、この塗装ブースでは、天井部の両端部に斜面を備える構成であるが（特許文献２  図２参照）、そのような構成の塗装ブースでは、図６に示すように、気流が乱れてしまうことが知られており、従来からの課題となっている（図６中の矢印が気流の方向）。
さらに、この塗装ブースでは、乾燥用エアとして用いる空気に対して、風速および若干の温度制御のみを行っている。しかし、欧州で用いる塗装ブースならば、気候的に湿度が比較的低いため、乾燥用エアとして成立し得るが、多湿の気候を有する日本で用いる塗装ブース、特に水性塗料で塗装を行う塗装ブースにおける乾燥用エアとしては不十分である。
【０００６】
なお、参考までに、特に、水性塗料に好適という訳ではないが、塗装ブースに関する従来技術の他の例として、特許文献３で提案されている塗装ブースがある（特許文献３  図１参照）。
この塗装ブースは、照明の死角を無くすことを目的とするものであるため、塗装ブース内の気流の乱れについては考慮されておらず、特に、照明器具が設けられる天井部の両端部が斜面状に構成されるため、前述の通り（図６参照）、気流が乱れてしまうことが課題となっている。
ところで、この塗装ブースでは、正面および右側面にしかドアが設けられていないため、ライン生産方式のごとく、一方から流れてくる自動車を右側面から塗装ブース内に取り込み、塗装が完了した自動車を左側面から、塗装ブース外へ流すという塗装工程を採用することができない。すなわち、この塗装ブースでは、ドア構成に関して、工程の効率化までは考慮に入れられていない。
また、正面と一方の側面にしかドアがなく、且つ、内壁面全域に当該ドアが設けられている訳ではないため、正面寄りの壁面部においては随所に配管を挿通させるスペースを有している。
【０００７】
【特許文献１】米国特許第６１９２６０４号明細書
【特許文献２】特開平６−３１２２１号公報
【特許文献３】特開平３−６８４７０号公報
【考案の開示】
【考案が解決しようとする課題】
【０００８】
本考案は、塗装ブース（塗装室）内における乱流の発生およびホコリ溜りの発生を最大限防止しつつ、特に水性塗料の乾燥に好適な乾燥用エアを、塗装する車体の近傍から直接吹き付け可能に供給することができ、塗装品質の向上および乾燥効率の向上が可能であると共に、作業者が塗装室内に入室したままの状態で、当該乾燥用エアの吹き付けによる乾燥工程と、別の部位に対する水性塗料の吹き付け工程とを、同時進行的に実施することができ、さらに、車体移動の効率化を図ることができ、塗装工程の工程時間の短縮が可能な塗装ブースを提供することを目的とする。
【課題を解決するための手段】
【０００９】
本考案は、以下に記載するような解決手段により、前記課題を解決する。
【００１０】
本考案に係る塗装ブースは、塗装室に収容された自動車の車体の一部に補修用の塗装を施す塗装ブースであって、前記塗装室は、平面形状が矩形状であり、正面および両側面の壁面部に自動車の搬入・搬出が可能な扉もしくはシャッターが該壁面部のコーナー部を除く内壁面全域の大きさに設けられると共に、正面寄りの２箇所のコーナー部および背面寄りの少なくとも１箇所のコーナー部には該コーナー部を斜めに仕切るコーナーパネルが設けられ、且つ、清浄化された正圧エアの供給口が天井部全域に、排出口が床部にそれぞれ設けられ、前記自動車の車体の一部に水性塗料を吹き付けた後に、該吹き付け箇所に直接、乾燥用エアを吹き付ける乾燥用エアホースが、フレキシブル状に形成され、前記コーナー部のそれぞれにおいて前記コーナーパネルと前記塗装室の壁面部とで仕切られた空間部内に上下方向に屈曲された状態で収納可能に設けられ、前記コーナーパネルには、前記乾燥用エアホースの収納・取出を可能とする開閉自在な収納・取出用大扉が設けられ、前記収納・取出用大扉には、前記収納・取出用大扉を開扉して、前記乾燥用エアホースを前記塗装室内に引き出した際、該乾燥用エアホースが挿通可能で、該収納・取出用大扉の閉扉が可能となるように、開閉自在なホース挿通用小扉が設けられ、前記乾燥用エアホースは、一端が、前記壁面部もしくは前記天井部を貫通して前記塗装室内に露出しないように前記空間部に引き込まれる前記乾燥用エアを供給するエア供給管に接続され、中間部が、閉扉された前記収納・取出用大扉において開扉されたホース挿通用小扉を挿通し、他端が、前記塗装室内に必要な長さ分だけ引き出された状態で、乾燥用エアの供給が可能であることを特徴とする。
【００１１】
また、前記塗装室内に供給される前記正圧エアの温度・風速を調整する第１の調整器と、前記乾燥用エアの温度・湿度・風速を調整する第２の調整器とを備え、前記塗装室内の空気の温度・風速と、前記乾燥用エアの温度・湿度・風速とを、それぞれ別個に設定することが可能であることを特徴とする。
【００１２】
また、前記それぞれの乾燥用エアホースにおける前記乾燥用エアの供給・停止を行うスイッチが前記コーナーパネルもしくはその近傍に設けられて、前記正圧エアを連続して供給している状態で、前記乾燥用エアの供給・停止が任意に行えることを特徴とする。
【００１３】
また、前記ホース挿通用小扉は、前記乾燥用エアホースが挿通可能な程度に、該乾燥用エアホースの直径に対して略同一か若干大きな長さの底辺を有する矩形状もしくは下部が矩形状で上部が半円形状との組合せ形状に形成されることを特徴とする。
【考案の効果】
【００１４】
本考案によれば、自動車の塗装を行う塗装ブースに関して、塗装ブース（塗装室）内における乱流の発生およびホコリ溜りの発生を最大限防止しつつ、特に水性塗料の乾燥に好適な乾燥用エアを、塗装する車体の近傍から直接吹き付け可能に供給することができ、塗装品質の向上および乾燥効率の向上が可能であると共に、作業者が塗装室内に入室したままの状態で、当該乾燥用エアの吹き付けによる乾燥工程と、別の部位に対する水性塗料の吹き付け工程とを、同時進行的に実施することができ、さらに、車体移動の効率化を図ることができ、塗装工程の工程時間の短縮が可能となる。
【考案を実施するための最良の形態】
【００１５】
以下、図面を参照して、本考案の実施の形態について詳しく説明する。図１は、本考案の実施の形態に係る塗装ブース１の例を示す概略図である。図２は、その塗装ブース１のコーナー部の拡大図であって、図２（ａ）は収納・取出用大扉２４を閉じた状態であり、図２（ｂ）は収納・取出用大扉２４を開けた状態である。図３は、その塗装ブース１の平面図である。図４は、その塗装ブース１のホース挿通用小扉２５の作用を説明する説明図であって、図４（ａ）はホース挿通用小扉２５を閉じた状態であり、図４（ｂ）はホース挿通用小扉２５を開けた状態である。図５は、その塗装ブース１の乾燥用エアホース５を引き出した状態（収納・取出用大扉２４は閉扉状態で且つホース挿通用小扉２５は開扉状態）示す概略図である。図６は、その塗装ブース１の側面図である。
なお、符号に関して、符号５は符号５ａ、５ｂ、・・・の総称として用いる（他の符号について同じ）。
【００１６】
本実施の形態に係る塗装ブース１は、図１、図３に示すように、内部に平面形状が略矩形状に形成される塗装室１０を備えると共に、正面に扉２１、側面にシャッター２２ａ、２２ｂを備えて、三方向から塗装室１０内へ自動車２の搬入・搬出が可能なように構成される。
特に、作業時間短縮による効率化を図るために、自動車２を載せた台車（不図示）を、レール２９上において走行させて、例えば、シャッター２２ａ方向から塗装室１０内へ搬入し、塗装を行った後、シャッター２２ｂ方向から搬出する、ライン生産方式のごとく、横入れ横出し方式によって塗装工程が行われる構成を備える。
例えば、前述の特許文献３に記載の従来例のように正面および右側面にしかドアが設けられていない塗装ブースでは、ドア構成に関して、工程の効率化までは考慮に入れられていないため、効率的な自動車の移動が不可能であるが、本実施の形態に係る塗装ブース１によれば、車体移動の効率化を図ることができ、塗装工程に要する工程時間の大幅な短縮、ならびに塗装工場内の効率的なレイアウトの実現および流れ作業化が可能となる。
このように、ドアの設置箇所は、設置コスト等に応じた単なる設計的事項ではなく、工程の効率化を考慮に入れて、それに応じた必須の構成として設けられるものである。
なお、扉もしくはシャッターの何れとするかは適宜選択されるものであって、一方に限定されるものではない。さらに、扉の場合に、開き戸、折り戸、スライドドア等、何れの形式であってもよく、また、シャッターの場合に、平板スライド式、ロール状巻取式等、何れの形式であってもよい。
【００１７】
また、自動車の大形化等によって、扉２１およびシャッター２２ａ、２２ｂの開口部は可能な限り大きくすべきとの要請がある一方で、設置場所の省スペース化および装置コスト・設置コストの低減等のため塗装ブース１全体としては可能な限り小型化すべきとの要請がある。その両立を図るため、扉２１およびシャッター２２ａ、２２ｂは、塗装室１０の内壁面全域を構成する大きさに設けられる。なお、本実施の形態において、シャッター２２は、図１中の矢印で示すように、段違いに設けられる上下２枚の平板で構成され、それらが上方向にスライドして壁面部が開口し、下方向にスライドして壁面部が閉口する構造である。
この点に関して、より具体的には、塗装ブースが大きくなればなる程、設置コストが高くなるのは当然であって、塗装ブースを小さくすれば、搬入用ドアが小さくなるため、搬入可能な自動車のサイズに制限が生じるのは当然である。そのような観点に立脚すれば、塗装ブースの装置コスト・設置コストを下げるために、塗装ブース１全体の大きさをより小さくすると共に、搬入可能な自動車のサイズをより大きく設定するために、搬入用ドア（扉２１、シャッター２２ａ、２２ｂ）をより大きく構成すればよい点までは、設計的事項として当然であるとしても、その結果として、内壁面全域に取り得る最大限の大きさの搬入用ドア（扉２１、シャッター２２ａ、２２ｂ）を設けてしまった場合に、塗装室１０内にどのようにして乾燥用エアを供給するための配管を導くか、さらには当該配管を塗装室１０内に露出させないようにする構成をどのように実現するかについては、単なる設計的事項ではなく、またこれを解決する構成が本願考案によってもたらされるものである。
【００１８】
また、塗装品質の向上を図るため、フィルタ機構（不図示）を通過して清浄化された正圧エアが天井部１１の全域に均一に設けられる複数の供給孔（不図示）から供給されて、床部１２に設けられる複数の排出孔（不図示）から排出される、いわゆる「プッシュプル方式」の構成を備える。当該エアは、外気が第１の調整器３３に取り込まれて、少なくとも温度・風速が所定の設定値に調整されたのち、正圧エア供給管３５を通じて、塗装室１０内へ供給される（図６参照）。
これによって、作業者の呼吸のための新鮮な空気が塗装室１０内に供給されるのみならず、当該塗装室１０内全体の空気環境を塗装に適した状態に整える効果を奏する。
もちろん、第１の調整器３３は、湿度の調整まで可能とする機構を組み込んでも構わない。ただし、後述のように、本実施の形態では、第２の調整器３４を有し、塗装箇所に直接吹き付ける乾燥用エアの温度・風速のみならず、湿度を調整する機構を別個に備えているため、第１の調整器３３において、湿度調整機能を備えない構成としても十分であり、またその結果、装置全体のコストを大幅に低減することが可能となる。
また、本実施形態では、塗装室１０は、平面形状が矩形状であり、天井部１１の両端部が斜面状となる構成ではなく、正圧エアの供給口がコーナー部２０を除く天井部１１の全域に設けられるため、気流が乱れることに起因して塗装品質が悪化してしまうことを防止できる。
さらに、塗装室１０内が負圧状態になるとホコリ（塵埃）を該室内に吸い込む恐れがあるが、塗装室１０内を正圧状態に保つことによって、そのようなホコリ（塵埃）の吸い込みが防止可能である。
【００１９】
ところで、前述の通り、ＶＯＣ対策等の理由により、本実施の形態において塗装に用いられる塗料は水性塗料である。従来の油性塗料と相違して、水性塗料の場合には補修箇所に塗料を吹き付けたまま放置するだけでは乾燥しづらく、また塗装ムラ等が発生する恐れもあるため、乾燥条件の細かな調整が要求される。
これに対し、本実施の形態に係る塗装ブース１では、第２の調整器によって温度・湿度・風速が調整された乾燥用エアを、塗装した直後に当該塗装箇所に直接、吹き付けることが可能となり、水性塗料の乾燥を短時間に且つ効率的に行うことが可能となり、塗装ムラ等が生じない高品質の塗装仕上げが実現する。
【００２０】
特に、前述の特許文献２記載の塗装ブースのように、乾燥用エアとして用いる空気に対して、風速および若干の温度制御を行うだけでは、多湿の気候を有する日本で用いる塗装ブース、特に水性塗料で塗装を行う塗装ブースにおける乾燥用エアとしては不十分である。
これに対し、本実施形態に係る塗装ブース１では、塗装室１０内に供給される正圧エアの温度・風速を調整する第１の調整器３３とは別に、乾燥用エアの温度・湿度・風速を調整する第２の調整器３４を備えることによって、主として前記正圧エアによって塗装室１０内の空気の温度・風速が調整されている状況下において、塗装室１０内の空気の温度・風速とは別に、乾燥用エアの温度・湿度・風速を設定することが可能となる。なお、当該乾燥用エアは、外気が第２の調整器３４に取り込まれて、温度・湿度・風速が所定の設定値に調整されたのち、エア供給管２３を通じて、乾燥用エアホース５へ供給される（図６参照）。
【００２１】
ここで、例えば、ある水性塗料に関して、塗料メーカーの推奨する好適な塗料乾燥条件として、乾燥用エアの湿度が５５％、温度が４０〜６０℃、風速が１〜３ｍ／ｓｅｃという基準があるが、仮に、第１の調整器３３で調整されて供給される正圧エアによって塗装室１０内全体をそのような温度・湿度環境としてしまった場合、当該環境下の塗装室内において人間が塗装等の作業を行うことは、あまりに劣悪な条件であって、不可能に近い。
一方、別の水性塗料に関して、好適な塗料乾燥条件として、乾燥用エアの湿度が３０％、温度が３５℃、風速が１〜３ｍ／ｓｅｃという例もあるが、そのような条件値（特に湿度）は、外気から取り込む空気に対して温度管理を行うのみでは到底、達成し得ない環境である。
すなわち、本実施形態に係る塗装ブース１によれば、好適な乾燥条件が一様ではない水性塗料に対して、それぞれの塗料に応じて最適な塗料乾燥条件に調整された乾燥用エアを供給することが可能となる。仮に、塗装室１０内の全体を、そのような最適な塗料乾燥条件に調整しようとすれば、第１の調整器３３として、大型の冷却チラーおよびキューピクルが必要となり、大規模な設備となってしまうため、設置コスト（一例として、数千万円）の大幅な増加は避けられない。しかし、本実施形態では、塗装室１０内の全体を、そのような最適な塗料乾燥条件に設定する必要がない。つまり、小型の湿度制御機構（温度・風速も制御する）を第２の調整器３４のみに設けるだけで十分足りるため、設置コスト（一例として、数十〜数百万円）および燃料費等のランニングコストが共に大幅に低減することが可能となる。さらに、塗装室１０内を、作業者にとって作業し易い快適な環境に保持した状態で、乾燥用エアのみを乾燥用に最適化して塗装箇所の乾燥を行うことが可能となる。
このように、作業者が塗装室１０内に入室したままの状態で、乾燥作業と塗装作業とを同時進行的に実施することを可能としつつ、乾燥用エアの設定を最適化することが可能となるため、塗装仕上がりの高品質化、および塗装・乾燥工程の大幅な効率化（時間短縮）が可能となる。
【００２２】
さらに、本実施形態に係る塗装ブース１は、それぞれの乾燥用エアホース５における乾燥用エアの供給・停止を行うスイッチ３２がコーナーパネル２０（コーナーパネル２０の近傍に設けても構わない）に設けられて、正圧エアを連続して供給している状態で、乾燥用エアの供給・停止が任意に行える構成を備える。
これによって、塗装と乾燥とを連続的に行うことができ、塗装箇所が複数個所に及ぶ場合には、それぞれの箇所の塗装と乾燥とを同時進行的に行うことができる。逆に言えば、塗装作業に影響がある場合には、即座に乾燥用エアの供給を停止することができる。また、エネルギー効率の向上も可能となる。
【００２３】
なお、本実施形態のように、塗装室１０内のコーナー部１４に乾燥用エアホース５を設ける構成により、平面形状が略矩形状の自動車２に塗装を行う場合に、適切なコーナー部１４の乾燥用エアホース５を用いることによって、所望の塗装箇所に向けて、その近傍から直接、乾燥用エアを吹き付けることが可能となる。さらに、乾燥用エアホース５を自動車２の周囲で引き回す必要がないため、自動車２に当該乾燥用エアホース５を接触させてしまう恐れがなくなり、作業性も一段と向上する。
本実施の形態では、正面寄りの２箇所のコーナー部１４ａ、１４ｂおよび背面寄りの１箇所のコーナー部１４ｃに乾燥用エアホース５ａ、５ｂ、５ｃが設けられる（詳細は後述）。
【００２４】
ここで、本実施の形態に特徴的な構成として、図２、図３に示すように、正面寄りの２箇所のコーナー部１４ａ、１４ｂ、および背面寄りの１箇所のコーナー部１４ｃには、当該コーナー部を斜めに仕切るように、天井部１１から床部１２に至る塗装室内側表面が平面状に形成されるコーナーパネル２０ａ、２０ｂ、２０ｃが設けられる。
さらに、コーナー部１４ａ、１４ｂ、１４ｃのそれぞれにおいて、フレキシブル形状を有する乾燥用エアホース５ａ、５ｂ、５ｃが、コーナーパネル２０ａ、２０ｂ、２０ｃと塗装室１０の壁面部１３ａ、１３ｂ、１３ｃ、１３ｄとで仕切られた空間部１５ａ、１５ｂ、１５ｃ内に屈曲された状態で配設される。
ちなみに、図２は、コーナー部１４における構成を説明する拡大図であるため、壁面部１３に設けられる搬入用ドア（扉２１、シャッター２２ａ、２２ｂ）の図示は省略している（図５においても同様）。
【００２５】
上記構成により、コーナー部１４を除く塗装室１０の内壁面全域に、扉２１およびシャッター２２を設けることができ、且つその大きさを最大化することが可能となる。
さらに、コーナーパネル２０ａ、２０ｂ、２０ｃを平面状に構成することによって、塗装室１０内に清浄化エアが供給される際に、乱流を発生させないようにする効果を奏する。
【００２６】
また、乾燥用エアホース５ａ、５ｂ、５ｃは、それぞれ一方の端部が乾燥用エアを供給するエア供給管２３ａ、２３ｂ、２３ｃに接続されると共に、他方の端部に塗装箇所へのエア吹き付け口６を備えて、空間部１５ａ、１５ｂ、１５ｃに設けられる複数の取り付けフック（不図示）によって、取り外し自在に支持されている。
さらに、不使用時には空間部１５ａ、１５ｂ、１５ｃに収納し、使用時には該空間部から取り出すための収納・取出用大扉２４ａ、２４ｂ、２４ｃがコーナーパネル２０ａ、２０ｂ、２０ｃに設けられる。つまり、乾燥用エアホース５ａ、５ｂ、５ｃの不使用時に当該収納・取出用大扉２４ａ、２４ｂ、２４ｃを閉じることによって、コーナーパネル２０ａ、２０ｂ、２０ｃの平面状態が確保され、乱気流の防止が可能となる。なお、取手２８も収納式とすれば一層、好適である。
また、エア供給管２３ａ、２３ｂ、２３ｃは、塗装室１０の天井部１１を貫通して空間部１５ａ、１５ｂ、１５ｃに引き込まれる構造である。このとき、コーナーパネル２０が設けられていることによって、エア供給管２３を塗装室１０内に露出しないように構成することが可能となり、また天井部１１全域からの正圧エア供給構造が実現可能となる。これにより、塗装室１０内に供給される清浄化エアの乱流発生を防止すると共に、塗装室１０内の見た目を向上させるだけでなく、露出させるとその部分がホコリ溜りとなって、ホコリ（塵埃）の蓄積が生じてしまうため、当該ホコリ蓄積を防止して、塗装品質の向上を図ることが可能となる。
【００２７】
ここで、作業者が乾燥用エアホース５ａ、５ｂ、５ｃを使用する場合には、コーナーパネル２０ａ、２０ｂ、２０ｃに設けられる収納・取出用大扉２４ａ、２４ｂ、２４ｃを開けて、乾燥用エアホース５ａ、５ｂ、５ｃを塗装箇所までの必要な長さ分だけ取り付けフックから外した後、塗装室１０内に引き出して、塗装箇所に対してエア吹き付け口６を数ｃｍ〜数十ｃｍの距離に近づけて、直接、乾燥用エアの吹き付けを行う。このとき、作業者自身がグリップ７を持って吹き付けを行ってもよく、固定機構（不図示）に固定して吹き付けを行ってもよい（図５参照）。
【００２８】
なお、乾燥用エアホース５の収納方法として、取り付けフックを用いて、屈曲させた状態で収納する方式以外にも、回転リールによる巻き取り収納方式等の採用が考えられる。
【００２９】
ここで、本実施の形態に特徴的な構成として、図２、図４に示すように、それぞれのコーナーパネル２０には、乾燥用エアホース５の収納・取出を可能とする開閉自在な収納・取出用大扉２４が設けられると共に、当該収納・取出用大扉２４に、乾燥用エアホース５を塗装室１０内に引き出し、乾燥用エアを供給している状態で、収納・取出用大扉２４と乾燥用エアホース５との干渉を回避して当該収納・取出用大扉２４の閉扉を可能とする開閉自在なホース挿通用小扉２５が設けられる。
【００３０】
より詳しくは、ホース挿通用小扉２５は、図２、図４、図５に示すように、乾燥用エアホース５が挿通可能な程度に、当該乾燥用エアホース５の直径に対して略同一か若干大きな長さの底辺からなる矩形状（もしくは該矩形状と半円形状との組合せ形状等であってもよい）に形成される。本実施形態では、ホース挿通用小扉２５は、収納・取出用大扉２４における反塗装室面に設けられるスライドレール２６によって、上下にスライド可能な矩形状のスライドドアとして設けられる。なお、符号２７はスライド用のツマミである。
【００３１】
上記構成の作用として、乾燥用エアホース５は、一端が、前記のエア供給管２３に接続され、中間部が、閉扉された収納・取出用大扉２４において開扉されたホース挿通用小扉２５を挿通した状態で、他端が、塗装室１０内に必要な長さ分だけ引き出すことが可能となる（図５参照）。ちなみに、その状態とする手順は、収納・取出用大扉２４を開扉し、次いで、乾燥用エアホース５を引き出し、次いで、ホース挿通用小扉２５を開扉し、次いで、収納・取出用大扉２４を閉扉するという順に行えばよい。
したがって、前述の特許文献１に記載の塗装ブースと相違して、乾燥用エアホース５から乾燥用エアを供給している状態で、当該乾燥用エアホース５が引き出されているコーナー部２０における収納・取出用大扉２４を閉扉することが可能となる。それにより、気流の乱れを防止すると共に、空間部１５内にホコリ溜りが発生することを防止することが可能となり、それらを原因とする塗装品質の悪化を防止して、高品質の乾燥すなわち塗装仕上がりを実現することが可能となる。
【００３２】
なお、収納・取出用大扉２４ａ、２４ｂ、２４ｃは、コーナーパネル２０ａ、２０ｂ、２０ｃの下部に配設され、且つ自動車部品、塗装用部品等の補修用部品を立てかけることが可能な強度を有する材料で形成されることが好適である。
これによって、塗装ブース１の小型化の要請によって、塗装室１０内に補修用部品を置くためのスペースが狭小化しており、また、正面、両側面の壁面部には扉２１およびシャッター２２ａ、２２ｂが設けられるため補修用部品の立てかけが困難となっている状況下において、コーナー部１４ａ、１４ｂ、１４ｃ（塗装室１０内側）を部品置き場として利用することが可能となる。
【００３３】
なお、残りの１箇所のコーナー部１４ｄにはエアシャワールーム３０へ通じるコーナードア３１が設けられる。ちなみに、エアシャワールーム３０は、作業者が塗装室１０内へ入る前に、衣服に付着したホコリ（塵埃）をエアシャワーによって除去するために設けられるものである。したがって、塗装室１０内へのホコリ（塵埃）侵入を防止し、塗装品質を向上させるために設置することが好適である。
当該コーナー部１４ｄに関しては、コーナードア３１に代えて、他のコーナー部１４ａ、１４ｂ、１４ｃと同様にコーナーパネルを設ける構成とすることも当然に可能である。
【００３４】
なお、コーナードア３１を設置した場合、乾燥用エアホース５ｄの設置構造、作用効果は、他の乾燥用エアホース５ａ、５ｂ、５ｃに準ずるが、設置箇所に関し、コーナードア３１近傍の壁面部１３ｃに収納・取出用大扉２４ｄを設ける点で相違する。
【００３５】
以上述べたように、本実施の形態に係る塗装ブースによれば、塗装ブース内における乱流の発生およびホコリ溜りの発生を最大限防止しつつ、特に水性塗料の乾燥に好適な乾燥用エアを、塗装する車体の近傍から直接吹き付け可能に供給することができ、塗装品質の向上および乾燥効率（エネルギー効率・時間効率）の向上が可能となる。
また、乾燥用エアとして最適に調整された空気は塗装室内全体に供給する必要が無いため、設置コスト・ランニングコストの大幅な低減が可能であると共に、作業者が塗装室内に入室したままの状態で、当該乾燥用エアの吹き付けによる乾燥工程と、別の部位に対する水性塗料の吹き付け工程とを、同時進行的に実施することができる。さらに、車体移動の効率化が図られることとの相乗効果によって、塗装工程の工程時間の大幅な短縮が可能となる。
【００３６】
なお、本考案を、揮発性に乏しい油性塗料を用いる場合に適用できることはいうまでもない。また、本考案は、自動車以外の塗装にも適用できる。
【図面の簡単な説明】
【００３７】
【図１】本考案の実施の形態に係る塗装ブースの例を示す概略図である。
【図２】図１の塗装ブースのコーナー部の拡大図である。
【図３】図１の塗装ブースの平面図である。
【図４】図１の塗装ブースのホース挿通用小扉の作用を説明する説明図である。
【図５】図１の塗装ブースの乾燥用エアホースの構成を示す概略図である。
【図６】図１の塗装ブースの側面図である。
【図７】従来の実施の形態に係る塗装ブースにおける課題を説明する説明図である。
【符号の説明】
【００３８】
１  塗装ブース
２  自動車
５、５ａ、５ｂ、５ｃ、５ｄ  乾燥用エアホース
１０  塗装室
１１  天井部
１２  床部
１３、１３ａ、１３ｂ、１３ｃ、１３ｄ  壁面部
１４、１４ａ、１４ｂ、１４ｃ、１４ｄ  コーナー部
１５、１５ａ、１５ｂ、１５ｃ  空間部
２０、２０ａ、２０ｂ、２０ｃ  コーナーパネル
２１  扉
２２、２２ａ、２２ｂ  シャッター
２３、２３ａ、２３ｂ、２３ｃ、２３ｄ  エア供給管
２４、２４ａ、２４ｂ、２４ｃ、２４ｄ  収納・取出用大扉
２５  ホース挿通用小扉
２９  レール
３０  エアシャワールーム
３１  コーナードア
３３  第１の調整器
３４  第２の調整器
３５  正圧エア供給管
【図１】
0003144732.tif 000003
【図２】
0003144732.tif 000004
【図３】
0003144732.tif 000005
【図４】
0003144732.tif 000006
【図５】
0003144732.tif 000007
【図６】
0003144732.tif 000008
【図７】
0003144732.tif 000009